(57)【特許請求の範囲】
【請求項１】
ソールと、複数本のテープ状の包囲体と、爪先保護材と、踵保護材と、サイド補強材と締め付け具とからなる陸上競技用シューズであって、前記包囲体の一端はソール外周部に固着され、他端には締め付け具係止構造を有し、サイド補強材は踵保護材の上部及び締め付け具係止構造近傍で各包囲体と固着され、締め付け具係止構造に締め付け具が係止されてなることを特徴とする陸上競技用シューズ。
【請求項２】
前記包囲体の取付位置が、前記ソールの内甲側外周部であっての拇指球部近傍から踵骨近傍までの領域、外甲側の外周部であって子指球部近傍から踵骨近傍までの領域、及び前足部の外周部であって第一基節骨骨頭部近傍、第四基節骨末端部近傍及び爪先部近傍領域であることを特徴とする請求項１に記載の陸上競技用シューズ。
【請求項３】
前記爪先保護材が、履用者の足部の母趾球又は子趾球より前方部分すべてを覆う形状を有することを特徴とする請求項１又は２に記載の陸上競技用シューズ。
【請求項４】
前記包囲体が高弾性合成樹脂製繊維からなるテープで形成されたことを特徴とする請求項１乃至３のいずれか１項に記載の陸上競技用シューズ。
【請求項５】
前記ソールが爪先部から踵部にかけて形成されており、ソールの踵部上面にミッドソールを積層一体化したことを特徴とする請求項１乃至４のいずれか１に記載の陸上競技用シューズ。
【請求項６】
前記ソールが爪先部から土踏まず部近傍にいたる前足部にのみ形成されたことを特徴とする請求項１乃至４のいずれか１に記載された陸上競技用シューズ。
【請求項７】
前記締め付け具係止構造及び締め付け具の下面を覆う舌片を有することを特徴とする請求項１乃至５のいずれか１に記載された陸上競技用シューズ。
【発明の詳細な説明】
【０００１】
【発明の属する技術分野】
本発明は、甲皮材を用いることなくシューズを形成することにより、陸上競技用シューズの軽量化を実現するものである。
【０００２】
【従来の技術】
従来、陸上競技用シューズには、軽量化が要求されており、そのため多数の技術が開示されている。
たとえば、シューズを構成する各部材について、素材の面からはアッパー素材、アウトソールやミッドソールの素材、靴紐、鳩目から縫い糸や接着剤に至るまで、その素材自体の軽量化に関し多くの研究・開発が行われてきた。
【０００３】
一方、シューズの構造の面からも様々な研究・開発が行われてきた。
たとえば、米国特許ＮＯ．４１０７８５７号公報には、軽量化を目的に甲皮材の一部に変えて靴底の内甲側外甲側に対応したストラップを設け、該ストラップの先端部を無くした構造を有するシューズが開示されている。
また、特開平８−３１７８０６号公報には、甲皮材とベルトを用いてシューズ全体の軽量化を図る技術が開示されている。
【０００４】
【発明が解決しようとする課題】
しかし、素材の軽量化に関する研究は一定の限界に立ち至っており、今日においては素材の軽量化をもってシューズ全体の軽量化に卓効を奏することが困難となっている。
また、上記各発明等においても所定量の甲皮材を必要としたため、シューズ全体の軽量化には限界があった。
さらに前記米国特許ＮＯ．４１０７８５７号公報に記載されているシューズにおいては、内甲側外甲側の対応するストラップを結び付けなければならず、使い勝手が悪く実用的なものとはいえなかった。
そこで、本発明は、特に軽量化の要請が高い陸上競技用シューズにおいて、甲皮材を一切用いることなくシューズを構成することにより、更なる軽量化といった課題の解決を可能にするものである。
【０００５】
【課題を解決するための手段】
上記課題を解決するために、本発明に係る陸上競技用シューズは、ソールと、複数本の包囲体と、爪先保護材と、踵保護材と、サイド補強材と締め付け具を主体に構成される。
すなわち、前記包囲体の一端はソールの周縁部に固着され、他端には締め付け具係止構造を有する。
前記爪先保護材は、履用者の爪先を路面から保護する目的で形成されるものであるが、足指が前記包囲体の間からはみ出さないように、履用者の足部の母趾球又は子趾球より前方部分すべてを覆う形状を有することも可能である。
【０００６】
前記サイド補強材は、踵保護材の上部及び締め付け具係止構造近傍で各包囲体と固着され、締め付け具係止構造に靴紐やベルトといった締め付け具が係止されてなる。
このように形成することにより、前記締め付け具係止構造を足甲部分にまとめることができ、靴紐等を係止する際の使い勝手が良い上、前記包囲体の引っ張られる方向を規制できるので、締め付け具で締め付けた際、最適なフィット性を得ることができる。
【０００７】
前記包囲体の素材及び形状は、特に限定されるものではないが、素材に関しては伸びの少ない高弾性合成樹脂製繊維等からなる素材が好ましく、形状に関しては適当な巾を有するテープ状に形成するのが好ましい。
【０００８】
前記本発明に係わるソールは、使用される種目に応じて様々な構成をとることができるが、爪先部から踵部にかけて、比較的反発性に富み軽量な合成樹脂で形成されたソールプレートの踵部上面に、クッション性に富む素材からなるヒールウェッジを積層一体化することも可能である。
さらに、前記ソールが硬質の樹脂から形成されて短距離種目用のシューズ等においては、爪先部から土踏まず部近傍にいたる前足部にのみソールが形成され、踵部分近傍には、従来から用いられているシート状の衝撃吸収部材や、シャークスキンと呼ばれるような防滑素材を用いることも可能である。
【０００９】
また、競技種目によっては、靴紐等の足当たりをよくするために、前記締め付け具係止構造及び締め付け具の下面を覆う舌片を前記爪先保護材等適当な部位に取り付けることも可能である。
【００１０】
【発明の実施の形態】
本発明に係わる陸上競技用シューズは、以下のように実施される。
本発明に係るソールは、使用される種目に応じて様々な形状に形成される。
例えば、図１に示す短距離種目用シューズの場合、比較的硬質で反発性に富み、かつ軽量な合成樹脂を用いて前足部あるいは爪先から踵部までアウトソール２を形成され、その前足部の所定位置には金属製、樹脂製あるいはセラミックス製のスパイクピン９が立設されている。
該アウトソール２の上面側であって、土踏まず部付近から踵部にかけて柔軟な発泡合成樹脂であるエチレンビニルアルコール共重合体（以下、「ＥＶＡ」という。）スポンジからなるミッドソール３を積層することも可能である。
【００１１】
また、本発明をマラソンシューズ、ジョギングシューズといった長距離種目シューズに適用する場合、アウトソールは、耐摩耗性、防滑性に富み、かつ、軽量な発泡ラバーや発泡ポリウレタンといった素材からなる。
該アウトソールの上面側であって、土踏まず部付近から踵部にかけてまたは、爪先から踵部にかけて柔軟な発泡合成樹脂であるＥＶＡスポンジからなるミッドソール（ヒールウェッジ）を積層することも可能である。
【００１２】
図１に示すように、本発明に係わる包囲体４は、前記ソールを競技者の足部に固定するため、ソール外周部５から足甲部にかけて足部を包囲するように用いられる。
この際、包囲体４はソール外周部５に直接固着することもできるが、図２に示すように、ソール外周部５に沿って設けられた細巾の補強片６に縫着して固着することもできる。
該包囲体４は、足部からのキック力を有効に走路へ伝えるため、伸びが少なく、引張り強度の高い素材が用いられる。
具体的には、引張強度が１５ｇ／ｄ以上で且つ、引張弾性率が５００ｇ／ｄ以上である高弾性ポリエチレン繊維、ポリアセタール繊維、ポリビニルアルコール繊維等が好適であるが、特に限定されるものではなく、従来から用いられているナイロン繊維やポリエステル繊維等であって、本発明の構造に耐えうるものであればよい。
【００１３】
該包囲体４の形状は、特に限定されるものではないが、テープ状ものが適当である。
また、テープの巾は、用いられる部位によって変化させることも可能であるが一定の巾であっても良い。
例えば、土踏まず部内甲側及び外甲側に設けられる包囲体はやや巾広のものとし、前足部、爪先部及び踵周辺部に設けられる包囲体は巾細のものとすることができる。
【００１４】
前記包囲体４の取付位置は、足部の骨格構造と可動部位等を考慮して効果的に足部を緊締できる位置に決定される。
具体的には、前記アウトソールの内甲側外周部であっての拇指球部近傍から踵骨近傍までの領域に３本乃至５本程度、外甲側の外周部であって子指球部近傍から踵骨近傍までの領域に３本乃至５本程度、及び前足部の外周部であって第一基節骨骨頭部近傍、第四基節骨末端部近傍及び爪先部に３本程度設けることが好適である。
【００１５】
前記包囲体４の取付角度は、拇指球部近傍から踵骨近傍までの領域に設けられるものは、着用状態でソール上面と約０゜〜９０゜好ましくは２０°〜７０°、前足部領域に設けられるものは、６０゜〜１８０゜好ましくは９０°〜１５０°の範囲で適宜決定される。
【００１６】
該包囲体４の一端には、締め付け具係止構造７が形成されている。
具体的には、靴紐８を締め付け具として用いる場合には、該締め付け具係止構造７は、前記包囲体４の先端を適宜折り曲げて縫着したループとしたり、金属製または樹脂製のＤ環としたりすることが可能である。
また、ベルト（テープ）状の締め付け具を用いる場合には、該締め付け具係止構造は、ベルトの巾に応じた長穴状とすることができる。
【００１７】
爪先保護材１０と踵保護材１１は、爪先と踵の保護と保持を目的に用いられる部材であって、織布、不織布、樹脂シート、天然皮革または人工皮革あるいはこれらを適宜組み合わせてなる。
爪先保護材１０の形状は、特に限定されるものではないが、ほぼ足指全部を覆う形状に形成するのが好ましい。具体的には、伸びが少なく引張り強度の高い人工皮革等を用い、前記ソールの上面に第一足指から第五足指の第三関節近傍までを覆う形状に形成する。
一方、踵保護材１１は、踵後端部から踝下方部付近を覆う形状に形成される。具体的には、伸びが少なく引張り強度の高い人工皮革等を用い、アキレス腱後端部から踵骨、踝下方付近を覆う形状に形成する。この際、樹脂製シートからなるヒールカウンタを内装すれば、踵部の保形性及び走行時等の安定性が向上する。
【００１８】
本発明に係わるサイド補強材１２は、踵保護体１１の上部から踝下方を経て前方へ伸ばされており、前記締め付け具係止構造７近傍で各包囲体４と固着されている。
該サイド補強体１２は、前記包囲体同様、伸びが少なく引張り強度の高い素材から形成される。
このようにサイド補強材１２を形成することにより、締め付け具で締め付けた際、足踵部への踵保護体の密着を良好にするとともに、各包囲体４を適正な位置に支持することができる。
【００１９】
締め付け具係止構造には、靴紐やベルトといった締め付け具が係止されてなる。締め付け具は特に限定されるものではないが、シューズ全体の軽量化のためには靴紐が有利である。
該締め付け具にベルト状部材を用いる場合には、軽量で且つ伸びに少ない合成樹脂製テープや人工皮革正テープを用い、面ファスナー等を用いて着脱自在に構成する。この場合、前記締め付け具係止構造７は、金属製または合成樹脂製の環状部材とすることが好適である。
【００２０】
前記本発明に係わるソール１は、使用される種目に応じて様々な構成をとることができるが、爪先部から踵部にかけて、比較的反発性に富み軽量な合成樹脂で形成されたソールプレートの踵部上面に、クッション性に富む素材からなるヒールウェッジを積層一体化することも可能である。
【００２１】
【発明の効果】
本発明に係わる陸上競技用シューズは、甲皮材を一切使用せずに構成されているため、極めて軽量に形成することができる。
【図面の簡単な説明】
【図１】図１は、本発明に係る陸上競技用シューズの着用状態を外甲側から見た外観図である。
【図２】図２は、本発明に係る陸上競技用シューズの他の実施の形態を示す外観図である。
【図３】図３は、従来の陸上競技用シューズの外観図である。
【符号の説明】
１  ソール
２  アウトソール
３  ミッドソール
４  包囲体
５  ソール外周部
６  補強片
７  締め付け具係止構造
８  靴紐
９  スパイクピン
１０  爪先保護材
１１  踵保護材
１２  サイド補強体
【図１】
0003602734.tif 000002
【図２】
0003602734.tif 000003
【図３】
0003602734.tif 000004